(57)【要約】【課題】衣類等の繊維製品のしわを伸ばすかけ面を有するベースの設定温度が高いか低いかに応じて、多段階（例えば、「低」、「中」、「高」の３段階）に振り分けてベースの設定温度レベルを、アイロンのハンドル上面の限られた幅のスペースに表示した際、ベースの設定温度レベルの表示を見やすくすることを目的とする。【解決手段】衣類等の繊維製品のしわを伸ばすかけ面１１ａを有するベース１１と、このベース１１の設定温度を切り替える切替ボタン１４と、この切替ボタン１４の操作に応じてベース１１の設定温度レベルを表示する表示部１５を有するアイロンにおいて、切替ボタン１４が操作されるごとに、この操作により設定された設定温度レベルに切り替えて表示部１５に表示し、更に、表示部１５に設定温度レベルを表示する際、一文字のみで表示する。【選択図】図１
2009034342.tif 000002
【特許請求の範囲】
【請求項１】
繊維製品のしわを伸ばすかけ面を有するベースと、該ベースの設定温度を切り替える操作部と、該操作部の操作に応じて前記ベースの設定温度に対応する情報を表示する表示部を有するアイロンにおいて、
前記操作部が操作されるごとに、前記表示部への表示を、前記操作により設定された温度に対応する情報に切り替えさせると共に、前記情報を表示させる際、一文字で表示させる制御部を備えたことを特徴とするアイロン。
【請求項２】
請求項１記載のアイロンにおいて、
前記制御部に接続され、前記ベースの温度を検出する温度検出部を備え、
前記制御部は、前記温度検出部で検出した前記ベースの温度が、前記操作部の操作により設定された温度になるまでの期間と、前記操作部の操作により設定された温度になった期間とでは、表示部の表示形態が異なるように、前記ベースの設定温度に対応する情報を表示させる制御部であることを特徴とするアイロン。
【請求項３】
繊維製品のしわを伸ばすかけ面を有するベースと、該ベースの設定温度を切り替える操作部と、該操作部の操作に応じて前記ベースの設定温度に対応する情報を表示する表示部を有するアイロンのベース設定温度対応情報表示方法において、
前記操作部が操作されるごとに、前記表示部に前記操作により設定された温度に対応する情報に切り替えて表示すると共に、前記情報を表示する際、一文字で表示することを特徴とするベース設定温度対応情報表示方法。
【請求項４】
請求項３記載のアイロンのベース設定温度対応情報表示方法において、
前記ベースの温度を検出する温度検出部を設けることにより、前記表示部に前記ベースの設定温度に対応する情報を表示する際、前記温度検出部で検出した前記ベースの温度が、前記操作により設定された温度になるまでの期間と、前記操作により設定された温度になった期間とでは、表示部の表示形態が異なるように、前記ベースの設定温度に対応する情報を表示することを特徴とするベース設定温度対応情報表示方法。
【発明の詳細な説明】
【技術分野】
【０００１】
本発明は、衣類等の繊維製品のしわを伸ばすかけ面を下面に有するベースの設定温度に対応する情報（以下、ベース設定温度対応情報と称する）を表示するアイロン及びアイロンのベース設定温度対応情報表示方法に関する。
【背景技術】
【０００２】
従来の一例であるアイロンについて、図１２を用いて説明する。図１２は、従来の一例であるアイロンの外観を示す斜視図である。アイロン１２０のハンドル上面には、衣類等の繊維製品のしわを伸ばすかけ面１２１ａを下面に有するベース１２１の温度レベル（例えば、「高」、「中」、「低」）を設定する設定ボタン１２２と、ベース１２１の設定温度レベル、即ち、設定ボタン１２２で設定されたベース１２１の温度レベルを表示する表示部１２３を有する。表示部１２３は、ベース１２１の設定温度レベルに応じて、即ち、ベース１２１の設定温度レベルが高いか低いかに応じて、「高」、「中」、「低」と３段階に切り替えて表示を行っている。
【０００３】
なお、３段階に切り替えて表示を行う理由は、繊維によって、アイロン掛けを行うための最適な温度があるためである。例えば、繊維が綿、麻の場合の最適な温度は１８０〜２１０℃、繊維がレーヨン、絹、毛の場合の最適な温度は１４０〜１６０℃、繊維がポリエステル、アクリルの場合の最適な温度は８０〜１２０℃である。そこで、アイロンでは、通常、設定ボタン１２２等の操作部により「高」、「中」、「低」に設定されたとき、ベース１２１の温度は、それぞれ１８０〜２１０℃、１４０〜１６０℃、８０〜１２０℃に設定される。
【０００４】
図１２に示すように、表示部１２３には、印刷等により「高」、「中」、「低」、「切」の文字が描かれていると共に、「高」、「中」、「低」、「切」のそれぞれの文字に対応したＬＥＤ１２４、１２５、１２６、１２７が設けられている。そして、設定ボタン１２２を押下するごとに、ベース１２１の設定温度レベルが切り替わると共に、この設定温度レベルに対応したＬＥＤ（ベース１２１の設定温度レベルを示すＬＥＤ）が点灯する。具体的には、設定ボタン１２２を押下するごとに、ベース１２１の設定温度レベルが低レベル→中レベル→高レベルという順序で切り替わり、対応するＬＥＤも、ＬＥＤ１２６→ＬＥＤ１２５→ＬＥＤ１２４という順序で点灯する。
【０００５】
更に、ＬＥＤ１２４が点灯していることでベース１２１の設定温度レベルが高レベルのとき、設定ボタン１２２を押下すると、ＬＥＤ１２７が点灯し、スタンバイ状態になる。即ち、電源は入っているものの、ベース１２１が加熱されていない状態になる。更に、ＬＥＤ１２７が点灯することでスタンバイ状態であるとき、設定ボタン１２２を押下すると、ベース１２１の設定温度レベルが低レベルに切り替わると共に、ＬＥＤ１２６が点灯する。
【０００６】
なお、前述した従来のアイロンと同様にして、設定ボタン１２２等の操作部を操作するごとに、ベースの設定温度状態が、低レベル、中レベル、高レベルの順番で循環的に切り替わると共に、ＬＥＤ等によるベースの設定温度状態の表示も循環的に切り替わることについては、特許文献１、特許文献２に記載されている。
【特許文献１】特開２００５−４０３２４号公報
【特許文献２】特開２０００−１１６９９７号公報
【発明の開示】
【発明が解決しようとする課題】
【０００７】
前述の従来のアイロンでは、ハンドル上面の限られた幅のスペースに、ベースの設定温度レベルを示す「高」、「中」、「低」、「切」の文字と「高」、「中」、「低」、「切」のそれぞれの文字に対応するＬＥＤとが並んで配置されているため、特に使用者が高齢者である場合、この「高」、「中」、「低」、「切」の文字が小さく、見づらいという問題がある。なお、前述の従来のアイロンでは、ベースの設定温度レベルが「高」、「中」、「低」の３段階に振り分けられているが、設定温度レベルが４段階以上に振り分けられた場合、ハンドル上面のスペースが限られていることから、更に文字が小さくなり、ますます見づらくなるという問題がある。
【０００８】
更に、アイロン操作時、操作者は斜め上からベースの設定温度レベルを示すＬＥＤを見ることが多いため、アイロンのハンドル上面にＬＥＤが設けられているが、ハンドルを操作者が把持しやすくするため、ハンドル上面のスペースが限られていることからＬＥＤが小さいことにより、斜め上から見ただけでは、どのＬＥＤが点灯しているか把握しにくいという問題がある。
【０００９】
そこで本発明では、ベースの設定温度レベルが高いか低いかに応じて多段階（２段階以上）に切り替えられるアイロンにおいて、ハンドル上面の限られたスペースにベースの設定温度レベルが表示されたとしても、この表示を見やすくすることを目的とする。
【課題を解決するための手段】
【００１０】
前述の目的を達成するために、本発明では、衣類等の繊維製品のしわを伸ばすかけ面を有するベースと、該ベースの設定温度を切り替える操作部と、該操作部の操作に応じて前記ベースの設定温度に対応する情報（ベースの設定温度レベル）を表示する表示部を有するアイロンにおいて、前記操作部が操作されるごとに、前記表示部への表示を、前記操作により設定された温度に対応する情報に切り替えさせると共に、前記情報を表示させる際、一文字のみで表示させる制御部を備えるようにした。
【発明の効果】
【００１１】
本発明によれば、ベースの設定温度が高いか低いかに応じて多段階（２段階以上）に切り替えられるアイロンにおいて、ハンドル上面の限られたスペースにベースの設定温度レベルが表示されたとしても、この表示を見やすくすることができる。
【発明を実施するための最良の形態】
【００１２】
以下、本発明の一実施形態であるアイロンについて、図１〜図１１を用いて説明する。
＜本実施形態のアイロンの外観、構成＞
まず、本実施形態のアイロンの外観、構成について、図１〜図３を用いて説明する。
図１は、本実施形態のアイロンの外観を示す斜視図、図２は、本実施形態のアイロンの外観を示す平面図、図３は、本実施形態のアイロンの構成を示すブロック図である。アイロン１０は、衣類等の繊維製品のしわを伸ばすかけ面１１ａを下面に有するベース１１と、外形状を形成するケース１２と、操作者が把持できるよう上面視で細幅に形成されたハンドル１３を有する。そして、ハンドル１３の上面には、ベース１１の温度レベルを設定する切替ボタン１４（操作部に対応）とこの切替ボタン１４の設定状態を表示する表示部１５とを有する。
【００１３】
更に、アイロン１０内部には、図３に示すように、ベース１１を加熱する発熱部材３０、ＣＰＵ、ＲＯＭ、ＲＡＭなどから成るマイクロコンピュータ、Ｄ／Ａ変換回路等から成り、発熱部材１０を制御する制御部３１、制御部３１に接続されベース１１の温度を検出する温度検出部３２等を有する。なお、切替ボタン１４と表示部１５は制御部１１に接続される。
【００１４】
制御部３１は、ベース１１の温度が、切替ボタン１４により設定された温度レベル（ベース１１の設定温度レベル）に対応する温度となるよう、発熱部材３０を制御する。具体的には、温度検出部３２で検出されたベース１１の温度が切替ボタン１４で設定された温度レベルに対応する温度より低いときはベース１１の温度を上げるよう、逆に、ベース１１の温度が切替ボタン１４で設定された温度レベルに対応する温度より高いときはベース１１の温度を下げるよう、発熱部材３０を制御する。更に、制御部３１は、切替ボタン１４が操作される度にベース１１の設定温度レベルが変わると共に表示部１５の表示が変わるよう、操作者による切替ボタン１４の操作に応じて、表示部１５を制御する。なお、制御部１５の動作の詳細については、後述する。
【００１５】
＜本実施形態のアイロンの発熱部分の構造＞
次に、本実施形態のアイロンの発熱部分の構造について、図４、図５を用いて説明する。図４（ａ）は、本実施形態のアイロンのベースと発熱部材の形状を示す正面図、図４（ｂ）は、本実施形態のアイロンのベースと発熱部材の形状を示す底面図、図５は、本実施形態のアイロンの発熱部材の構造を示す断面図である。ベース１１の上面には、発熱部材３０が取り付けられている。発熱部材３０は、その中心にニクロム線５０が設けられており、その周囲を絶縁体であると共に熱伝導性の良い酸化マグネシウム５１で覆っており、更にこの酸化マグネシウム５１の周囲を鉄５２で覆っている構造である。
【００１６】
なお、ベース１１の材質は、錆び難くするためのフッ素樹脂もしくはステンレスの薄膜が形成されたアルミニウムである。ベース１１にアルミニウムを用いたのは、熱伝導性が良いからである。そして、ベース１１には制御部３１に接続された温度検出部３２（図示せず）が設けられている。温度検出部３２には、熱電対、白金測音抵抗体、サーミスタ等の温度センサを用いる。
【００１７】
＜本実施形態のアイロンの制御部の動作＞
次に、本実施形態のアイロンの制御部の動作について、図６、図７を用いて説明する。図６は、本実施形態のアイロンの制御部の動作のフローチャートの前半、図７は、本実施形態のアイロンの制御部の動作のフローチャートの後半を示した図である。なお、制御部３１は、ＣＰＵ、ＲＯＭ、ＲＡＭなどで構成されたマイクロコンピュータ、Ｄ／Ａ変換回路等から成り、ＲＯＭに格納された図６、図７に示すフローチャートのプログラムをＣＰＵが実行することにより、動作する。
【００１８】
アイロン１０の電源が投入された後、制御部３１は初期設定を行う（Ｓ１）。具体的には、スタンバイ状態にすると共に表示部１５には、図８に示すように、「切」と表示させる。なお、図８は、本実施形態のアイロンにおいて、表示部１５に「切」と表示されたときの外観図である。そして、スタンバイ状態とは、ベース１１が加熱されないよう、制御部３１は発熱部材３０に発熱させないようにした状態のことである。即ち、発熱部材３０の中心にあるニクロム線５０に電気を流さないようにした状態のことである。
【００１９】
そして、初期設定状態で切替ボタン１４が押下されたとき（Ｓ２→ＹＥＳ）、制御部３１は発熱部材３０の中心にあるニクロム線５０の電流値を増加させることにより、発熱部材３０を発熱させてベース１１の設定温度レベルである低レベルに対応する温度ｔＬになるまでベース１１の温度を上昇させる。同時に、表示部１５の表示を、図９に示すように、「切」から「低」に切り替えさせる（Ｓ３）。なお、図９は、本実施形態のアイロンにおいて、表示部１５に「低」と表示されたときの外観図である。
【００２０】
表示部１５に「低」と表示させる際、温度検出部３２で得られたベース１１の温度情報に基づき、ベース１１の温度が低レベルに相当する温度ｔＬに到達するまでは（Ｓ４→ＮＯ）、点滅させて「低」の文字を表示させる（Ｓ３）ことにより、操作者に温度変更中であることを報知する。一方、ベース１１の温度が低レベルに相当する温度ｔＬに到達した後は（Ｓ４→ＹＥＳ）、点滅を終了し、「低」の文字を表示させる（Ｓ５）。なお、低レベルに相当する温度ｔＬは、例えば、８０℃≦ｔＬ≦１２０℃の温度である。
【００２１】
また、ベース１１の設定温度レベルが低レベルで切替ボタン１４が押下されたとき（Ｓ６→ＹＥＳ）、制御部３１は発熱部材３０の中心にあるニクロム線５０の電流値を増加させることにより、発熱部材３０を更に発熱させてベース１１の設定温度レベルである中レベルに対応する温度ｔＭになるまでベース１１の温度を上昇させる。同時に、表示部１５の表示を、図１０に示すように、「低」から「中」に切り替えさせる（Ｓ７）。なお、図１０は、本実施形態のアイロンにおいて、表示部１５に「中」と表示されたときの外観図である。
【００２２】
表示部１５に「中」と表示させる際、温度検出部３２で得られたベース１１の温度情報に基づき、ベース１１の温度が中レベルに相当する温度ｔＭに到達するまでは（Ｓ８→ＮＯ）、点滅させて「中」の文字を表示させる（Ｓ７）ことにより、操作者に温度変更中であることを報知する。一方、中レベルに相当する温度ｔＭに到達した後は（Ｓ８→ＹＥＳ）、点滅を終了し、「中」の文字を表示させる（Ｓ９）。中レベルに相当する温度ｔＭは、例えば、１４０℃≦ｔＭ≦１６０℃である。
【００２３】
更にまた、ベース１１の設定温度レベルが中レベルで切替ボタン１４が押下されたとき（Ｓ１０→ＹＥＳ）、制御部３１は発熱部材３０の中心にあるニクロム線５０の電流値を増加させることにより、発熱部材３０を更に発熱させてベース１１の設定温度レベルである高レベルに対応する温度ｔＨになるまでベース１１の温度を上昇させる。同時に、表示部１５の表示を、図１１に示すように、「中」から「高」に切り替えさせる（Ｓ１１）。なお、図１１は、本実施形態のアイロンにおいて、表示部１５に「高」と表示されたときの外観図である。
【００２４】
表示部１５に「高」と表示させる際、温度検出部３２で得られたベース１１の温度情報に基づき、ベース１１の温度が高レベルに相当する温度ｔＨに到達するまでは（Ｓ１２→ＮＯ）、点滅させて「高」の文字を表示させる（Ｓ１１）ことにより、操作者に温度変更中であることを報知する。一方、高レベルに相当する温度ｔＨに到達した後は（Ｓ１２→ＹＥＳ）、点滅を終了し、「高」の文字を表示させる（Ｓ１３）。高レベルに相当する温度ｔＨは、例えば、１８０℃≦ｔＨ≦２１０℃である。
【００２５】
更にまた、ベース１１の設定温度レベルが高レベルで切替ボタン１４が押下されたとき（Ｓ１４→ＹＥＳ）、制御部３１は発熱部材３０の中心にあるニクロム線５０に電気を流すのをやめさせることにより、発熱を止めさせる。同時に、表示部１５の表示を、図８に示すように、「高」から「切」に切り替えさせる（Ｓ１）。
【００２６】
以上の通り、本実施形態のアイロンの制御部３１は、切替ボタン１５が押下されるごとに、ベース１１の設定温度レベルが変わり、ベース１１がこの設定温度レベルに対応する温度になるように発熱部材３０を制御する。更に、制御部３１は、切替ボタン１５が押下されるごとに、表示部１５の表示を設定された温度レベルに対応する情報に切り替えさせると共に、この情報を表示部１５に表示させる際、一文字のみで表示させる。更にまた、制御部３１は、温度検出部３２で検出したベース１１の温度情報に基づいて、表示部１５に表示させるベース１１の設定温度レベルの表示状態を切り替える。例えば、温度検出部３２からの温度情報に基づいて、表示部１５に表示されるベース１１の設定温度レベルを点滅表示するか否かを切り替える。
【００２７】
＜本実施形態のアイロンの機能＞
前述の本実施形態のアイロンの制御部の動作の説明により、本実施形態のアイロンは、下記（ｉ）〜（iv）の機能を有する。
（ｉ）切替ボタン１４を押下するごとにベース１１の設定温度レベルが切り替わる。
（ii）切替ボタン１４を押下するごとに、ハンドル１３上部の限られたスペースに設けられた表示部１５の表示が、切替ボタン１４で設定された温度レベル（ベース１１の設定温度レベル）に切り替わる。
（iii）ハンドル１３上部の限られたスペースに設けられた表示部１５に、一文字のみでベース１１の設定温度レベルを表示する。
（iv）切替ボタン１４を押下したとき、ベース１１の温度が切替ボタン１４で設定した温度レベルに相当する温度になるまで、設定温度レベルを点滅して表示部１５に表示し、前記設定した温度レベルに相当する温度になったとき、設定温度レベルを点滅しないで表示する。
【００２８】
上記（ii）、（iii）の機能を有することにより、ハンドル上部の限られたスペースに設定温度レベルが表示しているにも拘らず、設定温度レベルを大きく表示することができ、その結果、操作者が斜めからでも見たときなど、操作者の姿勢に拘らず、設定温度レベルをはっきりと把握することができる。また、上記（iv）の機能を有することにより、ベース１１の温度が設定温度レベルに相当する温度になったか否かを操作者が目視で確認することができ、その結果、操作者は、ベース１１がアイロン掛けを行える温度になっているか否かを把握することができる。
【００２９】
なお、本実施形態のアイロンでは、点滅表示するか否かによって表示部２２に表示する設定温度レベルの表示形態を切り替えるようにしているが、これ以外にも、例えば、文字で表示された設定温度レベルの色、太さ等を変えること等により、表示部２２に表示する設定温度レベルの表示形態を切り替えるようにしても良い。
また、本実施形態のアイロンは、コードレスアイロンではないアイロンである場合について、説明したが、これに本発明は限定されるわけではない。即ち、コードレスアイロンの場合でも、同様にして、アイロン本体を給電台に設置することで通電状態としたとき、上記（ｉ）〜（iv）の機能を実現することができる。
【００３０】
＜まとめ＞
以上の通り、本実施形態のアイロンでは、ベースの設定温度レベルを３段階に振り分けている場合について説明したが、これに本発明は限定されるわけではない。即ち、ベースの設定温度レベルを２段階または４段階以上に振り分けている場合も同様にして、本発明では、下記（ｉ）〜（iv）の機能を実現することができる。
（ｉ）操作部を操作するごとにベースの設定温度レベルが切り替わる。
（ii）操作部を操作するごとに、ハンドル上部の限られたスペースに設けられた表示部の表示が、操作部で設定された温度レベル（ベースの設定温度レベル）に切り替わる。
（iii）ハンドル上部の限られたスペースに設けられた表示部に、一文字のみでベースの設定温度レベルを表示する。
（iv）操作部を操作したとき、ベースの温度が、操作部で設定した温度レベルに到達していないときと到達したときとでは、表示部に表示する設定温度レベルの表示形態が異なる。
【００３１】
従って、本発明では、上記（ii）、（iii）の機能を有することにより、ハンドル上部の限られたスペースに設定温度レベルが表示しているにも拘らず、設定温度レベルを大きく表示することができ、その結果、操作者が斜めからでも見たときなど、操作者の姿勢に拘らず、設定温度レベルをはっきりと把握することができる。また、上記（iv）の機能を有することにより、ベースの温度が設定温度レベルに相当する温度になったか否かを操作者が目視で確認することができ、その結果、操作者は、ベースがアイロン掛けを行える温度になっているか否かを把握することができる。
【図面の簡単な説明】
【００３２】
【図１】図１は、本発明の一実施形態であるアイロンの外観を示す斜視図である。
【図２】図２は、本発明の一実施形態であるアイロンの外観を示す平面図である。
【図３】図３は、本発明の一実施形態であるアイロンの構成を示すブロック図である。
【図４】図４（ａ）は、本発明の一実施形態であるアイロンのベースと発熱部材の形状を示す正面図、図４（ｂ）は本発明の一実施形態であるアイロンのベースと発熱部材の形状を示す底面図である。
【図５】図５は、本発明の一実施形態であるアイロンの発熱部材の構造を示す断面図である。
【図６】図６は、本発明の一実施形態であるアイロンの制御部の動作のフローチャートの前半を示す図である。
【図７】図７は、本発明の一実施形態であるアイロンの制御部の動作のフローチャートの後半を示す図である。
【図８】図８は、本発明の一実施形態であるアイロンにおいて、表示部に「切」と表示されたときの外観を示す平面図である。
【図９】図９は、本発明の一実施形態であるアイロンにおいて、表示部に「低」と表示されたときの外観を示す平面図である。
【図１０】図１０は、本発明の一実施形態であるアイロンにおいて、表示部に「中」と表示されたときの外観を示す平面図である。
【図１１】図１１は、本発明の一実施形態であるアイロンにおいて、表示部に「高」と表示されたときの外観を示す平面図である。
【図１２】図１２は、従来の一例であるアイロンの外観を示す斜視図である。
【符号の説明】
【００３３】
１０：アイロン                   １１：ベース
１１ａ：かけ面                   １２：ケース
１３：ハンドル                   １４：切替ボタン
１５：表示部                            ３０：発熱部材
３１：制御部                            ３２：温度検出部
５０：ニクロム線                 ５１：酸化マグネシウム
５２：鉄                         １２０：アイロン
１２１：ベース                   １２１ａ：かけ面
１２２：設定ボタン               １２３：表示部
１２４〜１２７：ＬＥＤ
Ｓ１〜Ｓ１４：フローチャートのブロック
【図１】
2009034342.tif 000003
【図２】
2009034342.tif 000004
【図３】
2009034342.tif 000005
【図４】
2009034342.tif 000006
【図５】
2009034342.tif 000007
【図６】
2009034342.tif 000008
【図７】
2009034342.tif 000009
【図８】
2009034342.tif 000010
【図９】
2009034342.tif 000011
【図１０】
2009034342.tif 000012
【図１１】
2009034342.tif 000013
【図１２】
2009034342.tif 000014